(57)【要約】 【課題】容易に既存の符号化方式と組み合わせることができ、かつ、送信側だけに機能を追加するだけで、効果的に量子化ノイズの耳障り感を低減することが可能な符号化装置を実現する。【解決手段】第ｎサンプル目のディジタル音響信号サンプルｘｎとフィードバック信号サンプルとを加算して加算結果を得るステップと、入力された信号をサンプル毎に符号化する所定の符号化方式により加算結果から符号化信号を生成するステップと、符号化信号から上記符号化方式に対応する復号化方式により復号化信号サンプルを生成するステップと、復号化信号サンプルからディジタル音響信号サンプルを減算して減算結果を得るステップと、減算結果を１サンプリング時間遅延させてフィードバック信号サンプルを得る遅延ステップと、をディジタル音響信号サンプルｘｎの入力がｘｎ＋１、ｘｎ＋２、・・・と継続する間、繰り返し実行する。【選択図】図２
2011118408.tif 000002
【特許請求の範囲】
【請求項１】
ディジタル化された音響信号を１サンプル毎に符号化する符号化方法であって、
第ｎサンプル目の上記ディジタル化された音響信号サンプルｘｎと、遅延ステップで得られたフィードバック信号サンプルと、を加算して加算結果を得る加算ステップと、
上記加算結果から、入力された信号をサンプル毎に符号化する所定の符号化方式により符号化信号を生成するエンコードステップと、
上記符号化信号から、上記符号化方式に対応する復号化方式により復号化信号サンプルを生成するデコードステップと、
上記復号化信号サンプルから上記ディジタル化された音響信号サンプルを減算して減算結果を得る減算ステップと、
上記減算結果を１サンプリング時間遅延させて上記フィードバック信号サンプルとして得る遅延ステップと、
を上記ディジタル化された音響信号サンプルｘｎの入力がｘｎ＋１、ｘｎ＋２、・・・と継続する間、繰り返し実行する符号化方法。
【請求項２】
ディジタル化された音響信号を１サンプル毎に符号化する符号化方法であって、
第ｎサンプル目の上記ディジタル化された音響信号サンプルｘｎと、遅延ステップで得られたフィードバック信号サンプルと、を加算して加算結果を得る加算ステップと、
上記加算結果から、入力された信号をサンプル毎に符号化する所定の符号化方式により符号化信号及び復号化信号サンプルを生成するエンコードステップと、
上記復号化信号サンプルから上記ディジタル化された音響信号サンプルを減算して減算結果を得る減算ステップと、
上記減算結果を１サンプリング時間遅延させて上記フィードバック信号サンプルとして得る遅延ステップと、
を上記ディジタル化された音響信号サンプルｘｎの入力がｘｎ＋１、ｘｎ＋２、・・・と継続する間、繰り返し実行する符号化方法。
【請求項３】
請求項１又は２に記載の符号化方法であって、更に、
上記遅延ステップで１サンプリング時間遅延させた減算結果を補正して、これを上記フィードバック信号サンプルとして提供する補正ステップを実行することを特徴とする符号化方法。
【請求項４】
ディジタル化された音響信号を１サンプル毎に符号化する符号化方法であって、
第ｎサンプル目の上記ディジタル化された音響信号サンプルｘｎと、減算ステップで得られたフィードバック信号サンプルと、を加算して加算結果を得る加算ステップと、
上記加算結果から、入力された信号をサンプル毎に符号化する所定の符号化方式により符号化信号を生成するエンコードステップと、
上記符号化信号から、上記符号化方式に対応する復号化方式により復号化信号サンプルを生成するデコードステップと、
上記復号化信号サンプルを１サンプリング時間遅延させて出力する第１遅延ステップと、
上記ディジタル信号化された音響信号サンプルを１サンプリング時間遅延させて出力する第２遅延ステップと、
上記第１遅延ステップでの出力信号から上記第２遅延ステップでの出力信号を減算した減算結果を上記フィードバック信号サンプルとして得る減算ステップと、
を上記ディジタル化された音響信号サンプルｘｎの入力がｘｎ＋１、ｘｎ＋２、・・・と継続する間、繰り返し実行する符号化方法。
【請求項５】
ディジタル化された音響信号を１サンプル毎に符号化する符号化方法であって、
第ｎサンプル目の上記ディジタル化された音響信号サンプルｘｎと、減算ステップで得られたフィードバック信号サンプルと、を加算して加算結果を得る加算ステップと、
上記加算結果から、入力された信号をサンプル毎に符号化する所定の符号化方式により符号化信号及び復号化信号サンプルを生成するエンコードステップと、
上記復号化信号サンプルを１サンプリング時間遅延させて出力する第１遅延ステップと、
上記ディジタル信号化された音響信号サンプルを１サンプリング時間遅延させて出力する第２遅延ステップと、
上記第１遅延ステップでの出力信号から上記第２遅延ステップでの出力信号を減算した減算結果を上記フィードバック信号サンプルとして得る減算ステップと、
を上記ディジタル化された音響信号サンプルｘｎの入力がｘｎ＋１、ｘｎ＋２、・・・と継続する間、繰り返し実行する符号化方法。
【請求項６】
請求項４又は５に記載の符号化方法であって、更に、
上記減算ステップで得られた減算結果を補正して、これを上記フィードバック信号サンプルとして提供する補正ステップを実行することを特徴とする符号化方法。
【請求項７】
請求項３又は６に記載の符号化方法であって、
上記補正は、上記減算結果に第一の定数を乗算したもの、または、上記減算結果に第二の定数を加算したもの、または、上記減算結果に第一の定数の乗算と第二の定数の加算との両方をおこなったもの、を上記フィードバック信号サンプルとする補正であることを特徴とする符号化方法。
【請求項８】
請求項１から７のいずれかに記載した符号化方法をコンピュータに実行させるためのプログラム。
【発明の詳細な説明】
【技術分野】
【０００１】
本発明は、ディジタル化された音声、音楽などの音響信号を符号化し、ディジタル通信網を介して送受信する符号化方法およびプログラムに関する。
【背景技術】
【０００２】
パケット通信網をはじめとするディジタル通信網を介して音声を送受信する利用が増えている。ＩＰ電話もその例である。図１０はディジタル通信網を介したディジタル音声信号送受信の構成例である。送信側において、ディジタル信号は１サンプル毎に符号化装置１００に入力されて符号化信号に変換され、ディジタル通信網を介して受信側に送られた
符号化信号は、復号化装置２００においてディジタル信号に復号化される。符号化装置・復号化装置における符号化方式には、任意のものが利用できるが、符号化方式と復号化方式は対応したものでなければならない。図１１は、符号化装置１００にエンコーダ１０１、復号化装置２００にデコーダ２０１を適用した場合の構成例である。エンコーダ１０１は、入力されたディジタル信号を所定の符号化方式により符号化信号に変換して出力する。デコーダ２０１はディジタル通信網を介して転送された上記符号化信号が入力され、所定の復号化方式により復号化してディジタル信号を再生する。なお、上記のとおりエンコーダ１０１とデコーダ２０１は両者の方式が対応していれば、例えば世界に広く普及しているITU-T G.711やITU-T G.726など、任意の方式のエンコーダ、デコーダを適用して構わない。
【０００３】
もっとも、このような構成において受信側で再生されるディジタル信号は、符号化処理の際に生じる量子化ノイズにより、用途に不十分な程度に品質が劣化してしまう場合がある。そのような場合の品質改善方法の１つとして、図１２に示すようにエンコーダ１０１の前段にプリエンファシス手段１０２、デコーダ２０１の後段にディエンファシス手段２０２を挿入する方法が非特許文献１に開示されている。非特許文献１は、符号化処理時の品質改善方法としてではなくＡ／Ｄ、Ｄ／Ａ変換時の品質改善方法として記載されているが、この方法を応用することにより符号化処理においても品質改善の効果を得ることが可能である。
【０００４】
しかし、非特許文献１の方法によると符号化装置と復号化装置の双方に機能追加を行う必要があり、既にITU-T G.711方式の機器などが世界中に広く普及しているという現状を踏まえれば、双方に機能の追加（又は機器の更改）を行うことは現実的でない、または品質改善効果が得られる機会が限定的になると考えられる。そこで、送信側だけに機能を追加し受信側は既存のデコーダをそのまま使用できる品質改善方法として、聴覚重み付け、またはノイズシェーピングと呼ばれる手法が非特許文献２に開示されている。この手法は、優れた作用効果を奏するもので、日本の携帯電話用の音声符号化方式にも採用されている。
【非特許文献１】古井貞煕、“ディジタル音声処理、” 東海大学出版会、pp36-37, 1985.
【非特許文献２】三樹聡、守谷健弘、間野一則、大室仲、“ピッチ同期雑音励振源をもつCELP符号化（PSI-CELP)、”  電子情報通信学会論文誌 A Vol.J77-A No.3 pp.314-324,1994.
【発明の概要】
【発明が解決しようとする課題】
【０００５】
非特許文献２で開示されている方法は優れた作用効果を奏するものの、構成が複雑であるうえに既存のエンコーダに簡単に機能追加できる形になっていない。すなわち、受信側のデコーダは既存装置を利用できるものの、送信側のエンコーダは新たに設計し直す必要があるため、コストの増加につながる。
【０００６】
本発明の目的は、プリエンファシス・ディエンファシスを適用する方法のように、簡便に既存の符号化方式と組み合わせ可能であるという利点と、ノイズシェーピングを適用する方法のように送信側だけに機能を追加すれば受信側は既存装置のままでよいという利点とを両立し、効果的に量子化ノイズの耳障り感を低減することが可能な符号化装置を実現することにある。
【課題を解決するための手段】
【０００７】
本発明の符号化方法は、第ｎサンプル目のディジタル化された音響信号サンプルｘｎと、遅延ステップで得られたフィードバック信号サンプルと、を加算して加算結果を得る加算ステップと、上記加算結果から、入力された信号をサンプル毎に符号化する所定の符号化方式により符号化信号を生成するエンコードステップと、上記符号化信号から、上記符号化方式に対応する復号化方式により復号化信号サンプルを生成するデコードステップと、上記復号化信号サンプルから上記ディジタル化された音響信号サンプルを減算して減算結果を得る減算ステップと、上記減算結果を１サンプリング時間遅延させて上記フィードバック信号サンプルとして得る遅延ステップと、を上記ディジタル化された音響信号サンプルｘｎの入力がｘｎ＋１、ｘｎ＋２、・・・と継続する間、繰り返し実行する。
あるいは、本発明の符号化方法は、第ｎサンプル目のディジタル化された音響信号サンプルｘｎと、遅延ステップで得られたフィードバック信号サンプルと、を加算して加算結果を得る加算ステップと、上記加算結果から、入力された信号をサンプル毎に符号化する所定の符号化方式により符号化信号及び復号化信号サンプルを生成するエンコードステップと、上記復号化信号サンプルから上記ディジタル化された音響信号サンプルを減算して減算結果を得る減算ステップと、上記減算結果を１サンプリング時間遅延させて上記フィードバック信号サンプルとして得る遅延ステップと、を上記ディジタル化された音響信号サンプルｘｎの入力がｘｎ＋１、ｘｎ＋２、・・・と継続する間、繰り返し実行する。
あるいは、本発明の符号化方法は、第ｎサンプル目のディジタル化された音響信号サンプルｘｎと、減算ステップで得られたフィードバック信号サンプルと、を加算して加算結果を得る加算ステップと、上記加算結果から、入力された信号をサンプル毎に符号化する所定の符号化方式により符号化信号を生成するエンコードステップと、上記符号化信号から、上記符号化方式に対応する復号化方式により復号化信号サンプルを生成するデコードステップと、上記復号化信号サンプルを１サンプリング時間遅延させて出力する第１遅延ステップと、上記ディジタル信号化された音響信号サンプルを１サンプリング時間遅延させて出力する第２遅延ステップと、上記第１遅延ステップでの出力信号から上記第２遅延ステップでの出力信号を減算した減算結果を上記フィードバック信号サンプルとして得る減算ステップと、を上記ディジタル化された音響信号サンプルｘｎの入力がｘｎ＋１、ｘｎ＋２、・・・と継続する間、繰り返し実行する。
あるいは、本発明の符号化方法は、第ｎサンプル目のディジタル化された音響信号サンプルｘｎと、減算ステップで得られたフィードバック信号サンプルと、を加算して加算結果を得る加算ステップと、上記加算結果から、入力された信号をサンプル毎に符号化する所定の符号化方式により符号化信号及び復号化信号サンプルを生成するエンコードステップと、上記復号化信号サンプルを１サンプリング時間遅延させて出力する第１遅延ステップと、上記ディジタル信号化された音響信号サンプルを１サンプリング時間遅延させて出力する第２遅延ステップと、上記第１遅延ステップでの出力信号から上記第２遅延ステップでの出力信号を減算した減算結果を上記フィードバック信号サンプルとして得る減算ステップと、を上記ディジタル化された音響信号サンプルｘｎの入力がｘｎ＋１、ｘｎ＋２、・・・と継続する間、繰り返し実行する。 
【発明の効果】
【０００８】
本発明によれば、容易に既存の符号化方式と組み合わせ可能であり、かつ、送信側だけに機能を追加すれば受信側は既存装置のままで量子化ノイズの耳障り感を効果的に低減することが可能な符号化装置を実現することができる。
【図面の簡単な説明】
【０００９】
【図１】第１実施形態の符号化装置の構成例。
【図２】第１実施形態の符号化装置の処理フロー図。
【図３】第２実施形態の符号化装置の構成例。
【図４】第２実施形態の符号化装置の処理フロー図。
【図５】第３実施形態の符号化装置の構成例。
【図６】第３実施形態の符号化装置の処理フロー図。
【図７】第４実施形態の符号化装置の構成例。
【図８】第４実施形態の符号化装置の処理フロー図。
【図９】第５実施形態の符号化装置の構成例。
【図１０】従来の符号化装置の構成例。
【図１１】エンコーダ・デコーダを適用した従来の符号化装置の構成例。
【図１２】プリエンファシス・ディエンファシスを適用した従来の符号化装置の構成例。
【発明を実施するための形態】
【００１０】
〔第１実施形態〕
図１は、本発明の符号化装置１０の機能構成例である。また、図２は処理フローである。
符号化装置１０は、加算部１１、エンコーダ１０１、デコーダ１２、減算部１３及び遅延部１４から構成され、装置に入力されたディジタル信号を１サンプル毎に符号化する。なお、エンコーダ１０１は図１１に示した従来技術の符号化装置１００に用いられるエンコーダ１０１と同じものであることから同一参照番号を付与している。また、デコーダ１２は図１１に示した従来技術の復号化装置２００に用いられるデコーダ２０１と同じものである。
【００１１】
加算部１１は、第ｎサンプル目のディジタル信号ｘｎが入力される（Ｓ１）と共に、後述するフィードバック信号ｅｎ（＝ｙｎ−１−ｘｎ−１）が入力され、これらを加算して第ｎサンプル目の加算結果ｘｎ＋ｅｎを出力する（Ｓ２）。エンコーダ１０１は、上記第ｎサンプル目の加算結果ｘｎ＋ｅｎを所定の符号化方式で符号化し、第ｎサンプル目の符号化信号ｃｎを生成する（Ｓ３）。この第ｎサンプル目の符号化信号ｃｎは、ディジタル通信網に向けて送信される（Ｓ４）とともに、デコーダ１２に向けて送信される。ディジタル通信網を介して受信側に届いた第ｎサンプル目の符号化信号ｃｎは、デコーダ２０１で上記符号化方式に対応する復号化方式により復号化され、ディジタル信号が再生される。デコーダ１２は、上記第ｎサンプル目の符号化信号ｃｎを上記符号化方式に対応する復号化方式により復号化し、第ｎサンプル目の復号化信号ｙｎを出力する（Ｓ５）。エンコーダ１０１とデコーダ１２（及びデコーダ２０１）は両者の方式が対応していれば、世界に広く普及しているITU-T G.711やITU-T G.726など、任意の符号化方式の機器を適用して構わない。また、本構成例ではエンコーダ１０１とデコーダ１２とは分離独立しているが、エンコーダが符号化信号だけでなく復号化信号も出力する機能を具備する場合には、デコーダを省略して、エンコーダから出力される復号化信号を減算部に送る一体的な構成としてもよい。減算部１３は、上記第ｎサンプル目の復号化信号ｙｎから上記第ｎサンプル目のディジタル信号ｘｎを減算して第ｎサンプル目の減算結果ｙｎ−ｘｎを出力する（Ｓ６）。遅延部１４は、上記第ｎサンプル目の減算結果ｙｎ−ｘｎに１サンプリング時間の遅延を与え、これを第ｎ＋１サンプル目のディジタル信号ｘｎ＋１用のフィードバック信号ｅｎ＋１として出力する（Ｓ７）。そして、このフィードバック信号ｅｎ＋１が上記加算部１１に帰還的に入力されて、以降ディジタル信号サンプルの入力がｘｎ＋１、ｘｎ＋２、・・・と継続する間、上記Ｓ１〜Ｓ７の処理を繰り返す。
【００１２】
このように、本発明においてはエンコード・デコード処理後の信号とエンコード処理前の入力信号との誤差信号を求め、これをフィードバックしてエンコード処理前の入力信号に加算し、再びエンコーダに入力するといったループ状の信号処理を行う。エンコーダに入力された値ｘｎ＋ｙｎ−１−ｘｎ−１との誤差が最小となるようにｙｎを決めるこのようなエンコーダ処理は、ｘｎ−ｘｎ−１を入力してこれとｙｎ−ｙｎ−１との誤差が最小となるようにｙｎを決めるエンコーダ処理と等価とみなすことができる。ここで、ｘｎ−ｘｎ−１とｙｎ−ｙｎ−１はいずれも高域強調処理であることから、このエンコード処理により復号化信号ｙｎに含まれる量子化ノイズの周波数成分は、相対的に高域が減り、低域が増える傾向となり、聴覚特性上、ノイズの耳障り感を低減することができる。また、従来のエンコーダに簡単な機能追加を施すことにより構成することができ、かつ、受信側には何ら機能追加を行う必要は無い。
【００１３】
〔第２実施形態〕
図３は、本発明の符号化装置２０の機能構成例である。また、図４は処理フローである。
符号化装置２０は、加算部１１、エンコーダ１０１、デコーダ１２、減算部１３、遅延部１４、及び補正部２１から構成される。補正部２１が加わっている以外は、第１実施形態（図１）と同じ構成である。よって、図３の中で図１と対応する部分については同一参照番号を付け、説明は省略する。その他の図面についても同様とする。
【００１４】
第２実施形態は、第１実施形態の遅延部１４と加算部１１との間に補正部２１を挿入した構成である。第１実施形態では、遅延部１４で１サンプリング時間の遅延が与えられた減算結果ｙｎ−ｘｎを、そのままフィードバック信号ｅｎ＋１として加算部１１に向けて出力していたが、第２実施形態では、減算結果ｙｎ−ｘｎは一旦補正部２１に入力され、所定の補正計算を施した上で、その計算結果をフィードバック信号ｅｎ＋１として加算部１１に向けて出力する（Ｓ８）。補正計算は、例えば次式により行う。
【００１５】
ｅｎ＋１＝α（ｙｎ−ｘｎ）＋β
ここで、αは人間の聴覚上最も雑音が気にならない値を０＜α≦１の範囲で表す定数である。αは実験的に定めても、一定の規則性の下、例えば符号化方式に応じて定めてもよい。一例として、耳障りが大きい符号化方式を用いるときほどαの値を大きくし、例えばITU-T G.726を用いるときはα＝１．０、ITU-T G.711のA-lawモードを用いるときはα＝０．８、ITU-T G.711のμ-lawモードを用いるときはα＝０．６といった具合に設定するとよい。また、βはエンコーダの符号化方式により決定される定数で、例えば、ITU-T G.711のA-lawモードを用いるときはβ＝８又は−８、ITU-T G.711のμ-lawモードやITU-T G.726を用いるときはβ＝０といった具合に設定するとよい。
【００１６】
このように、フィードバック信号として減算結果に補正を施した値を用いることで、より効果的に量子化ノイズの耳障り感を低減することができ、よって再生信号の品質の更なる向上を図ることができる。
【００１７】
〔第３実施形態〕
図５は、本発明の符号化装置３０の機能構成例である。また、図６は処理フローである。
符号化装置３０は、加算部１１、エンコーダ１０１、デコーダ１２、第１遅延部３１、第２遅延部３２、及び減算部３３から構成される。なお、加算部１１、エンコーダ１０１
、及びデコーダ１２は第１実施形態（図１）と同じ構成であるため、説明は省略する。
【００１８】
第１遅延部３１は、デコーダ１２で復号化された第ｎサンプル目の復号化信号ｙｎが入力され、これを１サンプリング時間遅延させて出力する（Ｓ９）。第２遅延部３２は、第ｎサンプル目のディジタル信号ｘｎが入力され、これを１サンプリング時間遅延させて出力する（Ｓ１０）。減算部３３は、第１遅延部３１で１サンプリング時間遅延させた第ｎサンプル目の復号化信号ｙｎから、第２遅延部３２で１サンプリング時間遅延させた第ｎサンプル目の復号化信号ｘｎを減算して求めた第ｎサンプル目の減算結果ｙｎ−ｘｎを、第ｎ＋１サンプル目のディジタル信号ｘｎ＋１用のフィードバック信号ｅｎ＋１として出力する（Ｓ１１）。そして、このフィードバック信号ｅｎ＋１が上記加算部１１に帰還的に入力されて、以降ディジタル信号サンプルの入力がｘｎ＋１、ｘｎ＋２、・・・と継続する間、図６に示すＳ１〜Ｓ１１の処理を繰り返す。
【００１９】
第１実施形態においては、遅延部を減算部の後段に設置して一括で遅延処理を行うが、第３実施形態においては、遅延部を減算部の前段に復号化信号用と入力ディジタル信号用とに分けて設置してそれぞれの遅延処理を行う。このように構成しても第１実施形態と同様な作用効果を得ることができるため、柔軟な装置設計に資する。
【００２０】
〔第４実施形態〕
図７は、本発明の符号化装置４０の機能構成例である。また、図８は処理フローである。
符号化装置４０は、加算部１１、エンコーダ１０１、デコーダ１２、第１遅延部３１、第２遅延部３２、減算部３３、及び補正部２１から構成される。なお、補正部２１は第２実施形態（図３）と同じ構成であり、それ以外は第３実施形態（図５）と同じ構成であるため、これらの各構成要素の説明は省略する。
【００２１】
第４実施形態は、第３実施形態の減算部３３と加算部１１との間に補正部２１を挿入した構成である。第３実施形態では、減算部３３は減算結果ｙｎ−ｘｎをそのままフィードバック信号ｅｎ＋１として加算部１１に向けて出力していたが、第４実施形態では、減算結果ｙｎ−ｘｎは一旦補正部２１に入力され、所定の補正計算を施した上で、その計算結果をフィードバック信号ｅｎ＋１として加算部１１に向けて出力する（Ｓ８）。なお、補正部２１における処理の詳細については第２実施形態と同様である。
【００２２】
このように、フィードバック信号として減算結果に補正を施した値を用いることで、第３実施形態と比べてより効果的に量子化ノイズの耳障り感を低減することができ、よって再生信号の品質の更なる向上を図ることができる。
【００２３】
〔第５実施形態〕
図９は、本発明の符号化装置９０の機能構成例である。第５実施形態は、第１〜４実施形態の構成を基礎とし、入力ディジタル信号が広帯域信号の場合にも量子化ノイズを効果的に抑制できるようにするための構成である。
【００２４】
符号化装置９０は、帯域分割フィルタ９１、低域用符号化装置９２、高域用符号化装置９３、及びマルチプレクサ９４から構成される。帯域分割フィルタ９１は、入力された広帯域ディジタル信号を低域信号と高域信号に分割して出力する。低域用符号化装置９２は、上記低域信号が入力され、これを符号化した信号を出力し、高域用符号化装置９３は、上記高域信号が入力され、これを符号化した信号を出力する。ここで、低域用符号化装置９２と高域用符号化装置９３には、それぞれ、符号化装置１０、２０、３０、４０、及びエンコーダ１０１のいずれかを任意に適用することができる。マルチプレクサ９４は、低域用符号化装置９２と高域用符号化装置９３でそれぞれ符号化された信号を合成して出力する。
【００２５】
このような構成により、入力ディジタル信号が広帯域信号の場合にも量子化ノイズを効果的に抑制することができる。  
【００２６】
本発明における符号化装置及びその方法は、上記の実施形態に限定されるものではなく、本発明を逸脱しない範囲で適宜変更が可能である。また、上記に説明した処理は記載の順に従った時系列において実行されるのみならず、処理を実行する装置の処理能力あるいは必要に応じて並列的にあるいは個別に実行されるとしてもよい。
【００２７】
＜発明の効果の実験による確認＞
電話帯域音声を符号化する場合の、本発明の構成（図３）における主観評価値と、従来の構成（図１１）における主観評価値との比較により、本発明の効果の確認を行った結果を表１に示す。主観評価値とは、両方式を適用して出力された音声を防音室においてヘッドフォンで受聴し、被験者が音質を１〜５の五段階評価した値の平均値であり、値が大きいほど品質が優れていることを示す。なお、エンコーダとデコーダにはITU-T G.711 A-law方式のものを用い、補正定数にはα＝０．８、β＝８を用いた。
【００２８】
本実験により、主観評価値が平均で０．１９改善することが確認された。
【表１】
2011118408.tif 000003
また、広帯域音声を符号化する場合に、本発明を適用した場合（図９の構成）の主観評価値と、適用しなかった場合（図９の構成において符号化装置にエンコーダのみを使用）
の主観評価値との比較により本発明の効果の確認を行った結果を表２に示す。
【００２９】
本実験により、広帯域符号化においても主観評価値が平均で０．１７改善することが確認された。
【００３０】
【表２】
2011118408.tif 000004
【産業上の利用可能性】
【００３１】
ディジタル通信網を介して音声通信を行う利用形態において、受信側は既存の機器のままで、送信側の機器のみに簡便な変更を施すことにより、符号化ノイズが低減された高品質の通信を実現したい場合に有用である。
【図１】
2011118408.tif 000005
【図２】
2011118408.tif 000006
【図３】
2011118408.tif 000007
【図４】
2011118408.tif 000008
【図５】
2011118408.tif 000009
【図６】
2011118408.tif 000010
【図７】
2011118408.tif 000011
【図８】
2011118408.tif 000012
【図９】
2011118408.tif 000013
【図１０】
2011118408.tif 000014
【図１１】
2011118408.tif 000015
【図１２】
2011118408.tif 000016